(57)【要約】【課題】切り替え作業時における部品の保持や保管に必要な空間を低減し、部品の着脱を行う事無く切り替え作業が可能なスイッチ機構、及び当該スイッチ機構を備えたフィルタ回路を提供する。【解決手段】スイッチ機構は、基板と、接地部材と、筐体と、支持部と、ねじ部材と、昇降部材と、付勢部材と、を備える。昇降部材は、ねじ部材の軸方向への移動に追従して移動する。スイッチ機構は、ねじ部材を基板から取り外すこと無く、接触部が配線パターンと接触していることによりねじ部材を介して配線パターンと接地部材とが接続されている接続状態と、接触部が配線パターンから離間していることによりねじ部材を介して配線パターンと接地部材とが接続されていない切断状態と、を切り替え可能である。【選択図】図２
2015095360.tif 000002
【特許請求の範囲】
【請求項１】
接地用の配線パターンが形成された基板と、
導電性材料で構成され、雌ねじ部を有する接地部材と、
絶縁性材料で構成され、前記基板と前記接地部材との間に設けられた筐体と、
筒状であって前記筐体と一体に形成され前記基板を支持することにより前記基板と前記接地部材とを離間した状態に保つ支持部と、
導電性材料によって構成され、前記基板と前記支持部と前記筐体とを貫いて前記接地部材の前記雌ねじ部にねじ込まれる雄ねじ部と、軸方向の移動に伴って前記配線パターンと接離する接触部と、を有するねじ部材と、
絶縁性材料で構成され、前記配線パターンと前記ねじ部材との間に設けられた昇降部材と、
前記昇降部材を介して前記ねじ部材を前記配線パターンから離間する方向へ付勢する付勢部材と、を備え、
前記昇降部材は、前記ねじ部材の軸方向への移動に追従して移動し、
前記ねじ部材を前記基板から取り外すこと無く、前記接触部が前記配線パターンと接触していることにより前記ねじ部材を介して前記配線パターンと前記接地部材とが接続されている接続状態と、前記接触部が前記配線パターンから離間していることにより前記ねじ部材を介して前記配線パターンと前記接地部材とが接続されていない切断状態と、を切り替え可能なスイッチ機構。
【請求項２】
前記昇降部材は、前記切断状態において前記基板と係止する係止部を有している請求項１に記載のスイッチ機構。
【請求項３】
前記ねじ部材は、前記切断状態において前記雄ねじ部が前記雌ねじ部に勘合している請求項１又は２に記載のスイッチ機構。
【請求項４】
前記ねじ部材を覆う収容部材をさらに備え、
前記収容部材は、前記切断状態で前記ねじ部材の端部が露出する穴部を有し、
前記ねじ部材の雄ねじ部は、前記切断状態において前記雌ねじ部に勘合していない請求項１又は２に記載のスイッチ機構。
【請求項５】
前記昇降部材は、前記切断状態において前記収容部の外部に露出し、前記接続状態において前記収容部の内部に収容される突部をさらに有している請求項４に記載のスイッチ機構。
【請求項６】
フィルタ機能の有効又は無効を切り替えるためのスイッチ機構として請求項１から５のいずれか一項に記載のスイッチ機構を備えたフィルタ回路。
【発明の詳細な説明】
【技術分野】
【０００１】
本発明の実施形態は、スイッチ機構、及びフィルタ回路に関する。
【背景技術】
【０００２】
従来、電子機器において、基板上の配線パターンとシャーシ等の接地部材とを導電性の部材を介して電気的に接続する構造がある。この様な接地構造として取り外し可能なねじ部材やコネクタを用いた構成にあっては、例えばインバータ装置等の電力変換機器が備えるフィルタ回路の有効、無効を切り替えるためのスイッチ機構として用いられるものもある。
【０００３】
例えば、図８及び図９に示すインバータ装置は、基板５０、筐体５１、及び接地部材５２を備えている。基板５０には、フィルタ回路に繋がる接地用の配線パターン５３が配置されている。筐体５１は、樹脂等の絶縁性の材料で構成されている。接地部材５２は、金属等の導電性の材料で構成されている。
【０００４】
ねじ部材を用いた従来のスイッチ機構６０は、図８及び図９に示すように、例えば第一支持部６１、第二支持部６２、及びねじ部材６３から構成されている。第一支持部６１及び第二支持部６２は、筒状であって、筐体５１と一体に形成されている。接地部材５２は、当該接地部材５２を貫く第一雌ねじ部５２１及び第二雌ねじ部５２２を有している。第一支持部６１は、第一雌ねじ部５２１に対応し、第二支持部６２は、第二雌ねじ部５２２に対応している。基板５０は、第一穴部５０１及び第二穴部５０２を有している。各穴部５０１、５０２のうち、第一穴部５０１は、配線パターン５３を貫いている。すなわち、第一穴部５０１の周囲には、配線パターン５３が配置されている。
【０００５】
基板５０は、第一支持部６１及び第二支持部６２に支持されて、筐体５１に取り付けられる。基板５０が各支持部６１、６２に支持された状態において、基板５０の第一穴部５０１と筐体５１の第一支持部６１と接地部材５２の第一雌ねじ部５２１とが重なり、ねじ部材６３が挿入可能となる。同様に、基板５０が各支持部６１、６２に支持された状態において、基板５０の第二穴部５０２と筐体５１の第二支持部６２と接地部材５２の第二雌ねじ部５２２とが重なり、ねじ部材６３が挿入可能となる。ねじ部材６３は、雄ねじ部６３１と座部６３２とを有している。
【０００６】
スイッチ機構６０による接続、切断の切り替えは次の様にして行われる。ねじ部材６３は、基板５０の第一穴部５０１側又は第二穴部５０２側のいずれか一方に挿入される。使用者は、フィルタ回路を接続状態つまり入り状態にする場合、ねじ部材６３を、基板５０の第一穴部５０１側に挿入する。使用者が、ねじ部材６３の先端の雄ねじ部６３１を接地部材５２の第一雌ねじ部５２１にねじ込んで行くと、ねじ部材６３の座部６３２が、第一穴部５０１の周囲にある配線パターン５３に接触する。これにより、配線パターン５３と接地部材５２とが、ねじ部材６３を介して電気的に接続され、その結果、フィルタ回路が有効状態つまり入り状態に切り替わる。
【０００７】
一方、使用者は、フィルタ回路を切断状態つまり切り状態にする場合、ねじ部材６３を、第一穴部５０１側から取り外す。これにより、配線パターン５３と接地部材５２とが、電気的に切断された状態となり、その結果、フィルタ回路が無効状態に切り替わる。そして、使用者は、取り外したねじ部材６３を保管するため、図８（ｂ）及び図９（ｂ）に示すように、ねじ部材６３を、基板５０の第二穴部５０２側に挿入し、ねじ部材６３の雄ねじ部６３１を、接地部材５２の第二雌ねじ部５２２にねじ込む。この場合、ねじ部材６３が基板５０の第二穴部５０２に挿入されても、配線パターン５３とねじ部材６３の座部６３２とは接触しない。これにより、ねじ部材６３は、接地部材５２に固定された状態で保管される。
【０００８】
この構成においては、ねじ部材６３を付け外しする際に工具が必要となる。また、切り替え作業時におけるねじ部材６３の保持、及びその保管に大きな空間が必要となる。
また、コネクタを用いた従来のスイッチ機構７０は、図１０に示すように、第一コネクタケース７１、第二コネクタケース７２、及びコネクタ７３を有している。第一コネクタケース７１は、配線パターン５３上に配置されている。第二コネクタケース７２は、配線パターン５３が存しない部分に配置されている。配線パターン５３は、第一コネクタケース７１が配置された部分において切断されている。フィルタ回路を有効な状態つまり入り状態にする場合、使用者は、第一コネクタケース７１にコネクタ７３を挿入する。すると、配線パターン５３の切断部分がコネクタ７３を介して接続され、これにより、フィルタ回路が有効状態つまり入り状態となる。
【０００９】
一方、フィルタ回路を無効な状態にする場合、使用者は、コネクタ７３を第一コネクタケース７１から取り外す。これにより、配線パターン５３は、第一コネクタケース７１部分において再度切断状態となり、フィルタ回路が無効状態つまり切り状態となる。そして、使用者は、第一コネクタケース７１から取り外したコネクタ７３を、第二コネクタケース７２に挿入した状態で保管する。
【００１０】
この構成においては、ねじ部材６３の付け外しが必要ないことから、切り替え作業時に工具を必要としない。しかし、第一コネクタケース７１及び第二コネクタケース７２を配置する空間が必要となる。そして、いずれの従来構成についても、取り外したねじ部材６３又はコネクタ７３を保管するための空間が必要となる。したがって、従来構成においては、切り替えスイッチ機構の省スペース化が困難であり、その結果、切り替えスイッチ機構を備える機器の全体としての小型化が阻害されていた。
【先行技術文献】
【特許文献】
【００１１】
【特許文献１】特開２０００−２２８５９２号公報
【発明の概要】
【発明が解決しようとする課題】
【００１２】
そこで、切り替え作業時における部品の保持や保管に必要な空間を低減するとともに、部品の着脱を行う事無く切り替え作業が可能なスイッチ機構、及び当該スイッチ機構を備えたフィルタ回路を提供する。
【課題を解決するための手段】
【００１３】
実施形態のスイッチ機構は、接地用の配線パターンが形成された基板と、導電性材料で構成され、雌ねじ部を有する接地部材と、絶縁性材料で構成され、前記基板と前記接地部材との間に設けられた筐体と、筒状であって前記筐体と一体に形成され前記基板を支持することにより前記基板と前記接地部材とを離間した状態に保つ支持部と、導電性材料によって構成され、前記基板と前記支持部と前記筐体とを貫いて前記接地部材の前記雌ねじ部にねじ込まれる雄ねじ部と、軸方向の移動に伴って前記配線パターンと接離する接触部と、を有するねじ部材と、絶縁性材料で構成され、前記配線パターンと前記ねじ部材との間に設けられた昇降部材と、前記昇降部材を介して前記ねじ部材を前記配線パターンから離間する方向へ付勢する付勢部材と、を備える。前記昇降部材は、前記ねじ部材の軸方向への移動に追従して移動する。前記ねじ部材を前記基板から取り外すこと無く、前記接触部が前記配線パターンと接触していることにより前記ねじ部材を介して前記配線パターンと前記接地部材とが接続されている接続状態と、前記接触部が前記配線パターンから離間していることにより前記ねじ部材を介して前記配線パターンと前記接地部材とが接続されていない切断状態と、を切り替え可能である。
【図面の簡単な説明】
【００１４】
【図１】第一実施形態によるスイッチ機構を示すものであって、図１（ａ）は接続状態を示す図、図１（ｂ）は切断状態を示す図
【図２】図２（ａ）は図１（ａ）の２Ａ−２Ａ線に沿う断面図、図２（ｂ）は図１（ｂ）の２Ｂ−２Ｂ線に沿う断面図
【図３】スイッチ機構及びフィルタ回路を備えたインバータ装置を概略的に示す図
【図４】第二実施形態によるスイッチ機構を示すものであって、図４（ａ）は図１（ａ）相当図、図４（ｂ）は図１（ｂ）相当図
【図５】図５（ａ）は図４（ａ）の５Ａ−５Ａ線に沿う断面図、図５（ｂ）は図４（ｂ）の５Ｂ−５Ｂ線に沿う断面図
【図６】第三実施形態によるスイッチ機構を示すものであって、図６（ａ）は図１（ａ）相当図、図６（ｂ）は図１（ｂ）相当図
【図７】図７（ａ）は図６（ａ）の７Ａ−７Ａ線に沿う断面図、図７（ｂ）は図６（ｂ）の７Ｂ−７Ｂ線に沿う断面図
【図８】ねじ部材を用いた従来のスイッチ機構を示すものであって、図８（ａ）は接続状態を示す図、図８（ｂ）は切断状態を示す図
【図９】図９（ａ）は図８（ａ）の９Ａ−９Ａ線に沿う断面図、図９（ｂ）は図８（ｂ）の９Ｂ−９Ｂ線に沿う断面図
【図１０】コネクタを用いた従来のスイッチ機構を示すものであって、図１０（ａ）は接続状態を示す図、図１０（ｂ）は切断状態を示す図
【発明を実施するための形態】
【００１５】
以下、複数の実施形態によるスイッチ機構、及びスイッチ機構を備えたフィルタ回路について、図面を参照して説明する。なお、上記した従来の構成及び各実施形態において実質的に同一の構成部位には同一の符号を付し、説明を省略する。
【００１６】
（第一実施形態）
まず、第一実施形態について、図１から図３を参照して説明する。
図１及び図２に示すスイッチ機構１０において、スイッチ機構１０が設けられるインバータ装置は、例えば基板２０、筐体２１、及び接地部材２２を備えている。基板２０には、基板５０と同様に、基板穴部２０１が設けられ、フィルタ回路に繋がる接地用の配線パターン２３が配置されている。基板穴部２０１は、基板２０及び配線パターン２３を円形に貫いて形成されている。すなわち、基板穴部２０１の周囲には、配線パターン２３が配置されている。基板穴部２０１の内径は、上記した第一穴部５０１及び第二穴部５０２の内径よりも大きい。筐体２１は、筐体５１と同様に、樹脂等の絶縁性の材料で構成されている。筐体２１は、詳細は図示しないが、例えば箱状に構成されており、基板２０の他、インバータ装置を構成する電子部品等が収納される。なお、筐体２１は、箱状に限られない。接地部材２２は、接地部材５２と同様に、金属等の導電性の材料で構成されている。
【００１７】
スイッチ機構１０は、支持部１１、昇降部材１２、圧縮コイルばね１３、及びねじ部材１４を有している。支持部１１は、上記した第一支持部６１及び第二支持部６２と同様に、円筒状であって、筐体２１と一体に形成されている。基板２０は、支持部１１に支持されて、筐体２１に取り付けられる。この場合、支持部１１は、基板２０と接地部材２２とを離間した状態に保っている。支持部１１の外径及び筒状の内径は、基板穴部２０１の内径よりも大きい。筐体２１は、底穴部２１１を有している。底穴部２１１は、ねじ部材１４の外径よりも若干大きい円形の穴に形成されている。
【００１８】
昇降部材１２は、絶縁性の材料で形成され、支持部１１の内側に収容されている。昇降部材１２は、全体として段付きの円筒状に形成されている。昇降部材１２において、基板２０側部分の外径は、筐体２１側部分の外径よりも小さい。すなわち、昇降部材１２は、径大部１２１と径小部１２２とを一体的に有している。径大部１２１の外径は、底穴部２１１の内径よりも大きく、支持部１１の内径よりも若干小さい。径小部１２２の外径は、径大部１２１の外径及び基板穴部２０１の内径よりも小さい。
【００１９】
昇降部材１２は、係止部１２３を有している。係止部１２３は、昇降部材１２の軸方向の途中部分にあって、径大部１２１と径小部１２２との径差によって形成された段差部分である。径小部１２２の先端部から係止部１２３までの距離、すなわち径小部１２２の軸方向の長さ寸法は、ねじ部材１４の座部１４３と配線パターン２３との間の絶縁距離を十分に確保出来る距離に設定されている。
【００２０】
昇降部材１２は、ばね受け部１２４を有している。ばね受け部１２４は、径大部１２１の内側部分にあって、いわゆるザグリ形状に形成されている。ばね受け部１２４の内径は、底穴部２１１の内径よりも大きい。圧縮コイルばね１３は、ばね受け部１２４内に設けられ、昇降部材１２を、基板２０側へ付勢する。この場合、圧縮コイルばね１３は、付勢部材として機能する。
【００２１】
ねじ部材１４は、例えば汎用品であって、鉄等の導電性の材料で構成された座付きねじである。ねじ部材１４は、雄ねじ部１４１、頭部１４２、及び座部１４３を一体に有している。座部１４３は、円環状に形成されている。なお、ねじ部材１４は、座部１４３を別体に構成しても良い。座部１４３の外径は、基板穴部２０１の内径よりも大きい。そのため、ねじ部材１４を基板穴部２０１に挿入した際、座部１４３が基板穴部２０１の周囲に係止される。
【００２２】
ねじ部材１４は、基板穴部２０１側から、昇降部材１２の内側、筐体２１の底穴部２１１、及び接地部材２２の雌ねじ部２２１を通して設けられる。ねじ部材１４が、基板穴部２０１、昇降部材１２、筐体２１、及び接地部材２２の内側に挿入されている状態において、ねじ部材１４の雄ねじ部１４１は、接地部材２２の雌ねじ部２２１にねじ込まれている。ねじ部材１４が、ねじを締め付ける方向又は緩める方向へ回転されると、座部１４３と配線パターン２３とは、相対的に接離するように移動する。すなわち、座部１４３は、ねじ部材１４の軸方向の移動に伴って、配線パターン２３と接離する。この場合、座部１４３は、接触部として機能する。
【００２３】
スイッチ機構１０による接続、切断の切り替えは次の様にして行われる。ねじ部材１４を締まる方向へ回転させると、ねじ部材１４は、図１（ａ）及び図２（ａ）に示すように、基板２０に対して沈む方向へ移動し、頭部１４２及び座部１４３が基板２０へ接近する。このとき、昇降部材１２は、径小部１２２の端部が、ねじ部材１４の座部１４３に押される。そのため、昇降部材１２は、ねじ部材１４の移動に伴って、基板２０に対して沈む方向へ移動する。
【００２４】
昇降部材１２が、基板２０の基板穴部２０１に沈み込むと、ねじ部材１４の座部１４３は、基板穴部２０１の周囲にある配線パターン２３に接触する。このとき、ねじ部材１４の雄ねじ部１４１は、接地部材２２の雌ねじ部２２１にねじ込まれている。これにより、接地部材２２と配線パターン２３とが、ねじ部材１４を介して電気的に短絡接続され、その結果、フィルタ回路が有効な状態つまり入り状態に切り替わる。
【００２５】
ねじ部材１４を緩める方向へ回転させると、ねじ部材１４は、図１（ｂ）及び図２（ｂ）に示すように、基板２０に対して浮き上がる方向へ移動し、頭部１４２及び座部１４３が基板２０の配線パターン２３から離間する。これにより、接地部材２２と配線パターン２３とが、電気的に切断された状態となり、その結果、フィルタ回路が無効な状態に切り替わる。このとき、昇降部材１２は、ねじ部材１４の移動に伴って、ねじ部材１４を押し上げながら基板２０に対して浮き上がる方向へ移動する。その後、係止部１２３が基板２０に係止されることにより、昇降部材１２の移動が停止する。
【００２６】
この状態において、雄ねじ部１４１と配線パターン２３との絶縁距離、及び座部１４３と配線パターン２３との絶縁距離は、昇降部材１２によって確保されている。そして、この状態においても、ねじ部材１４の雄ねじ部１４１は、接地部材２２の雌ねじ部２２１にねじ込まれて勘合している。そのため、ねじ部材１４は、フィルタ回路が無効状態すなわち切り状態にある場合において、配線パターン２３との絶縁を確保しつつ、接地部材２２に取り付けた状態で保管される。
【００２７】
スイッチ機構１０は、例えば図３に示すインバータ装置３０のような電力変換機器に用いられる。インバータ装置３０は、整流回路３１、平滑コンデンサ３２、インバータ回路３３、フィルタ回路３４、及び接地端子３５を備えている。インバータ装置３０の入力側は電源４１に接続され、出力側はモータ４２に接続されている。インバータ回路３３は、例えばＩＧＢＴなどのスイッチング素子で構成されている。フィルタ回路３４は、例えば複数の接地コンデンサ３４１と、スイッチ機構１０を有している。フィルタ回路３４の各コンデンサ３４１は、スイッチ機構１０及び接地端子３５を介して接地されている。スイッチ機構１０は、当該スイッチ機構１０を接続状態又は切断状態に切り替えることにより、フィルタ回路３４によるフィルタ機能を有効又は無効に切り替える。
【００２８】
インバータ装置３０は、インバータ回路３３のＩＧＢＴ等のスイッチング素子の動作に伴い、高周波ノイズを発生する。このノイズ電流が電源４１へ流れ込むと、他の機器へ影響を及ぼす。フィルタ回路３４は、このノイズ電流による他の機器への影響を抑制するために設けられている。
【００２９】
この場合、フィルタ回路３４は、この高周波ノイズによるノイズ電流を低減する効果がある。一方、フィルタ回路３４は、電源周波数付近の周波数の漏れ電流を発生させる。使用者は、スイッチ機構１０を切り替えることで、フィルタ回路３４の有効、無効を切り替えることができる。すなわち、使用者は、インバータ回路３３による高周波ノイズを低減したい場合、スイッチ機構１０を接続状態すなわち入り状態にする。これにより、フィルタ回路３４を接地部材２２と接続することで、フィルタ回路３４を有効状態にする。
【００３０】
一方、使用者は、インバータ回路３３による高周波ノイズよりも電源周波数付近の周波数の漏れ電流の方が問題になると判断した場合、スイッチ機構１０を切断状態すなわち切り状態にする。これにより、フィルタ回路３４を接地部材２２から切り離し、フィルタ回路３４を無効状態にする。この場合、スイッチ機構１０におけるねじ部材１４は、入り状態又は切り状態のいずれの状態においても、接地部材２２から取り外されずに保管される。
【００３１】
この構成によれば、スイッチ機構１０のねじ部材１４は、切り状態においても基板２０、筐体２１、及び接地部材２２から取り外されることがなく、接地部材２２に取り付けられた状態で保管される。そのため、接地部材２２から取り外したねじ部材１４を保管するための空間を別途確保する必要が無い。したがって、切り替え作業時におけるねじ部材１４の保持や保管に必要な空間を低減することができ、その結果、スイッチ機構１０の小型化が図られ、ひいては当該スイッチ機構１０を用いるインバータ装置の小型化が図られる。
【００３２】
また、スイッチ機構１０のねじ部材１４は、切り替えに際して基板２０、筐体２１、及び接地部材２２から取り外す必要が無い。したがって、スイッチ機構１０は、ねじ部材１４の着脱を行う事無く切り替え作業が可能となり、その結果、使用者の作業を容易なものとすることができる。
【００３３】
昇降部材１２は、スイッチ機構１０の切断状態において基板２０と係止する係止部１２３を有している。これによれば、スイッチ機構１０を切断状態にするためにねじ部材１４を緩めた場合であっても、昇降部材１２が基板２０の穴部２０１から外部へ抜け出ることを防止することができる。そのため、スイッチ機構１０を切断状態にした際の昇降部材１２の管理が容易となる。
【００３４】
また、昇降部材１２において、径小部１２２の軸方向の長さ寸法は、ねじ部材１４の座部１４３と配線パターン２３との間の絶縁距離を十分に確保出来る寸法に設定されている。したがって、使用者は、スイッチ機構１０を切断状態にする際、昇降部材１２の移動が停止するまでねじ部材１４を緩めるだけで、容易に絶縁距離を確保することが出来る。そのため、ねじ部材１４の座部１４３と配線パターン２３との間の絶縁距離の管理がさらに容易になる。
【００３５】
（第二実施形態）
次に、第二実施形態について、図４及び図５を参照して説明する。
第二実施形態において、スイッチ機構１０は、第一実施形態のねじ部材１４に換えて、ねじ部材１５を備えている。また、スイッチ機構１０は、収容部材１６をさらに備えている。ねじ部材１５は、第一実施形態のねじ部材１４と基本的な構成は同一であり、雄ねじ部１５１、頭部１５２、及び座部１５３を有しているが、軸方向の長さ寸法が異なる。すなわち、図５（ａ）に示すように、接地部材２２と配線パターン２３とがねじ部材１５を介して接続状態にある場合、ねじ部材１５の雄ねじ部１５１は、接地部材２２の雌ねじ部２２１と勘合している。一方、図５（ｂ）に示すように、接地部材２２と配線パターン２３とがねじ部材１５を介して接続状態に無い場合つまり切断状態にある場合、ねじ部材１５の雄ねじ部１５１は、接地部材２２の雌ねじ部２２１と勘合していない。
【００３６】
収容部材１６は、ねじ部材１５を覆うようにして、基板２０に固定されている。収容部材１６は、樹脂等の絶縁性の材料によって、例えば基板２０側が開口した箱状に形成されている。収容部材１６は、係止爪１６１を有している。基板２０には、係止爪１６１が挿入される爪穴部２０２が形成されている。収容部材１６と基板２０とは、係止爪１６１と爪穴部２０２とで構成されたいわゆるスナップフィットで接合されている。
【００３７】
収容部材１６は、覗き穴部１６２を有している。覗き穴部１６２は、基板２０側と反対側にあって、収容部材１６を円形の穴形状に貫いて形成されている。覗き穴部１６２の内径は、頭部１５２の外径よりもやや大きく、かつ、座部１５３の外径よりも小さい。図４（ａ）及び図５（ａ）に示すように、スイッチ機構１０が接続状態にある場合、ねじ部材１５の頭部１５２は、収容部材１６の内部に隠れている。
【００３８】
スイッチ機構１０を切断状態にするため、使用者がねじ部材１５を緩める方向へ回すと、ねじ部材１５の雄ねじ部１５１と接地部材２２の雌ねじ部２２１との勘合が外れる。すると、ねじ部材１５は、昇降部材１２を介して圧縮コイルばね１３から付勢力を受けているため、昇降部材１２とともに浮き上がるように移動する。その後、昇降部材１２は、係止部１２３が基板２０の穴部２０１の周囲に係止し、その移動が規制される。また、ねじ部材１５は、座部１５３が収容部材１６の覗き穴部１６２の周囲に係止し、その移動が規制される。
【００３９】
この状態において、ねじ部材１５の頭部１５２は、図４（ｂ）及び図５（ｂ）に示すように、収容部材１６の覗き穴部１６２から収容部材１６の外方へ露出する。なお、配線パターン２３の表面から覗き穴部１６２までの距離は、座部１５３が収容部材１６の覗き穴部１６２の周囲に係止された状態において、座部１５３と配線パターン２３との間の絶縁距離を十分に確保出来る距離に設定されている。
【００４０】
これによれば、上記第一実施形態と同様の作用効果を得ることが出来る。さらに、使用者は、スイッチ機構１０の接続状態を切り替える際に、ねじ部材１５が接地部材２２の厚み寸法分移動するように、ねじ部材１５を緩め又は締め付ければ良いため、ねじ部材１５の回転量つまり切り替えのための操作量を低減することが出来る。その結果、スイッチ機構１０の切り替えをより容易に行うことができる。
【００４１】
また、この構成によれば、スイッチ機構１０は、収容部材１６の覗き穴部１６２からねじ部材１５の頭部１５２が露出している状態であれば切断状態であり、露出していない状態であれば接続状態である。したがって、使用者は、覗き穴部１６２からの頭部１５２の露出状態を見ることで、スイッチ機構１０の状態、すなわちフィルタ回路３４の有効、無効の状態を一見して判断することができる。したがって、フィルタ回路３４の有効、無効の確認が容易になる。
【００４２】
（第三実施形態）
次に、第三実施形態について、図６及び図７を参照して説明する。
第三実施形態において、昇降部材１２は、突部１２５をさらに有している。突部１２５は、昇降部材１２と一体に形成されており、昇降部材１２の上側縁部から上方へ向かって棒状に突出している。ねじ部材１５の軸方向における突部１２５の寸法は、頭部１５２の寸法よりも大きい。収容部材１６は、突部用穴部１６３をさらに有している。突部用穴部１６３は、突部１２５に対応して設けられている。突部用穴部１６３は、収容部材１６を、突部１２５の外径よりもやや大きい内径の穴に貫いて形成されている。
【００４３】
突部１２５は、図６（ａ）及び図７（ａ）に示すように、スイッチ機構１０の接続状態において、突部用穴部１６３から外方へ露出していない。一方、突部１２５は、図６（ｂ）及び図７（ｂ）に示すように、スイッチ機構１０が切断状態になると、突部用穴部１６３から外方へ飛び出すようにして露出する。
【００４４】
これによれば、上記第二実施形態と同様の作用効果に加え、次の様な作用効果が得られる。すなわち、使用者は、突部用穴部１６３から突部１２５が露出しているか否かを視認することにより、一見してスイッチ機構１０の状態すなわちフィルタ回路３４の有効、無効の状態を判断することができる。したがって、フィルタ回路３４の有効、無効の確認が更に容易になる。
【００４５】
なお、突部１２５の彩色を、収容部材１６の彩色と異なったものとしても良い。これによれば、突部用穴部１６３から突部１２５が突出しているか否かを容易に視認することが出来る。その結果、フィルタ回路３４の有効、無効の判断をより容易なものとすることが出来る。
【００４６】
以上、実施形態のスイッチ機構及び当該スイッチ機構を備えたフィルタ回路によれば、昇降部材は、ねじ部材の軸方向への移動に追従して移動する。スイッチ機構は、ねじ部材を基板から取り外すこと無く、接触部が前記配線パターンと接触していることによりねじ部材を介して配線パターンと接地部材とが短絡接続されている接続状態と、接触部が配線パターンから離間していることによりねじ部材を介して配線パターンと接地部材とが短絡接続されていない切断状態と、を切り替え可能である。
【００４７】
これによれば、スイッチ機構のねじ部材は、切断状態においても基板から取り外されることが無く、基板に取り付けられた状態で保管される。そのため、基板から取り外したねじ部材を保管するための空間を別途確保する必要が無く、その結果、切り替え作業時におけるねじ部材の保持や保管に必要な空間を低減することができる。
【００４８】
また、スイッチ機構のねじ部材は、切り替えに際して基板から取り外す必要が無い。したがって、スイッチ機構は、ねじ部材の着脱を行う事無く切り替え作業が可能であり、その結果、使用者の作業を容易なものとすることができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００５０】
図面中、１０はスイッチ機構、１１は支持部、１２は昇降部材、１２３は係止部、１２５は突部、１３は圧縮コイルばね（付勢部材）、１４、１５はねじ部材、１４１、１５１は雄ねじ部、１４３、１５３は座部（接触部）、１６は収容部材、１６２は覗き穴部（穴部）、２０は基板、２１は筐体、２２は接地部材、２２１は雌ねじ部、２３は配線パターン、３０はインバータ装置、３４はフィルタ回路を示す。
【図１】
2015095360.tif 000003
【図２】
2015095360.tif 000004
【図３】
2015095360.tif 000005
【図４】
2015095360.tif 000006
【図５】
2015095360.tif 000007
【図６】
2015095360.tif 000008
【図７】
2015095360.tif 000009
【図８】
2015095360.tif 000010
【図９】
2015095360.tif 000011
【図１０】
2015095360.tif 000012